(57)【要約】【課題】ＣＰＵ処理能力やメモリ容量、バッテリ容量などのハードウェア資源が限られた携帯端末において、キーレスポンスの鈍化や消費電力の増加の影響を極力抑えながら、一画面内に多くの情報を表示することができる携帯端末及び画面表示方法の提供。【解決手段】表示データを記憶する記憶部（メモリ１０３）と、前記表示データに基づく画面を表示する複数の表示部（第１のＬＣＤコントローラ１０４、第１のＬＣＤドライバ１０５、第１のＬＣＤ１０６と、第２のＬＣＤコントローラ１０７、第２のＬＣＤドライバ１０８、第２のＬＣＤ１０９）を少なくとも備える携帯端末において、前記複数の表示部は、独立してフレームレートが設定可能に構成され、異なる種類の画面を表示する場合は、互いに異なるフレームレートで前記記憶部から前記表示データを読み出して表示を行う。【選択図】図１
2009198952.tif 000002
【特許請求の範囲】
【請求項１】
表示データを記憶する記憶部と、前記表示データに基づく画面を表示する複数の表示部と、を少なくとも備える携帯端末において、
前記複数の表示部は、独立してフレームレートが設定可能に構成され、異なる種類の画面を表示する場合は、互いに異なるフレームレートで前記記憶部から前記表示データを読み出して表示を行うことを特徴とする携帯端末。
【請求項２】
前記異なる種類の画面は、相対的に動きが多い画面と相対的に動きが少ない画面とを含み、
前記相対的に動きが多い画面を表示する表示部は、第１のフレームレートで前記記憶部から前記表示データを読み出し、
前記相対的に動きが少ない画面を表示する表示部は、前記第１のフレームレートよりも小さい第２のフレームレートで前記記憶部から前記表示データを読み出すことを特徴とする請求項１に記載の携帯端末。
【請求項３】
前記相対的に動きが多い画面は、テレビ映像、動画、ゲームのいずれかを表示する画面であり、
前記相対的に動きが少ない画面は、電子メール、ブラウザ、静止画のいずれかを表示する画面であることを特徴とする請求項２に記載の携帯端末。
【請求項４】
少なくとも１つの表示部は、該表示部に表示される画面の表示データを記憶可能な他の記憶部を備えることを特徴とする請求項１乃至３のいずれか一に記載の携帯端末。
【請求項５】
少なくとも１つの表示部は、前記記憶部から読み出した表示データに基づく画面を拡大して表示するリサイズ機能を備えることを特徴とする請求項１乃至４のいずれか一に記載の携帯端末。
【請求項６】
前記複数の表示部は、１つの連続した画面を表示する場合は、フレームレートを同期させて前記記憶部から前記表示データを読み出して表示を行うことを特徴とする請求項１乃至５のいずれか一に記載の携帯端末。
【請求項７】
表示データを記憶する記憶部と、前記表示データに基づく画面を表示する複数の表示部と、を少なくとも備える携帯端末における画面表示方法であって、
前記複数の表示部は、異なる種類の画面を表示する場合は、互いに異なるフレームレートで前記記憶部から前記表示データを読み出して表示を行うことを特徴とする画面表示方法。
【請求項８】
前記異なる種類の画面は、相対的に動きが多い画面と相対的に動きが少ない画面とを含み、
前記相対的に動きが多い画面を表示する表示部は、第１のフレームレートで前記記憶部から前記表示データを読み出し、
前記相対的に動きが少ない画面を表示する表示部は、前記第１のフレームレートよりも小さい第２のフレームレートで前記記憶部から前記表示データを読み出すことを特徴とする請求項７に記載の画面表示方法。
【請求項９】
前記相対的に動きが多い画面は、テレビ映像、動画、ゲームのいずれかを表示する画面であり、
前記相対的に動きが少ない画面は、電子メール、ブラウザ、静止画のいずれかを表示する画面であることを特徴とする請求項８に記載の画面表示方法。
【請求項１０】
少なくとも１つの表示部に、該表示部に表示される画面の表示データを記憶可能な他の記憶部を設け、前記記憶部へのアクセス頻度を低減することを特徴とする請求項７乃至９のいずれか一に記載の画面表示方法。
【請求項１１】
少なくとも１つの表示部に、前記記憶部から読み出した表示データに基づく画面を拡大して表示するリサイズ機能を設け、前記記憶部に記憶する表示データのサイズを小さくして、前記記憶部へのアクセス頻度を低減することを特徴とする請求項７乃至１０のいずれか一に記載の画面表示方法。
【請求項１２】
前記複数の表示部は、１つの連続した画面を表示する場合は、フレームレートを同期させて前記記憶部から前記表示データを読み出して表示を行うことを特徴とする請求項７乃至１１のいずれか一に記載の画面表示方法。
【発明の詳細な説明】
【技術分野】
【０００１】
本発明は、携帯端末及び画面表示方法に関し、特に、複数の表示部を有する携帯端末及び該携帯端末における画面表示方法に関する。
【背景技術】
【０００２】
近年の携帯端末においては、通信の高速化や高機能化に伴い、表示すべき情報量が増えている。そこで、多くの情報を表示できるように、ＬＣＤ（Liquid Crystal Display）の画面サイズを大きくしたり、複数のＬＣＤを設ける手法が用いられている。
【０００３】
例えば、下記特許文献１には、処理操作を行うためのデータを表示する主表示部と、データファイルのデータを表示するデータ表示部と、通信データやＴＶ受信データを表示する通信データ表示部とを設け、複数の種類のデータを同時に見ながら処理操作を行うことができる携帯型情報処理装置が開示されている。
【０００４】
【特許文献１】特開２００２−２０２８３１号公報
【発明の開示】
【発明が解決しようとする課題】
【０００５】
しかしながら、ＬＣＤの画面サイズを大きくしたり、複数のＬＣＤを設けると、ＬＣＤに表示するためにメモリに保持するデータ量が増加し、従来通りの表示フレームレートを保とうとすると、ＬＣＤコントローラが単位時間あたりにメモリへアクセスする頻度が多くなる。
【０００６】
その結果、消費電力が増加すると共に、同じメモリを使って動作するＣＰＵのアクセス速度が劣化し、ＣＰＵによって処理されるソフトウェア動作が遅くなるため、キーレスポンス等の動作速度が劣化するという問題が生じる。
【０００７】
本発明は、上記問題点に鑑みてなされたものであって、その主たる目的は、ＣＰＵ処理能力やメモリ容量、バッテリ容量などのハードウェア資源が限られた携帯端末において、キーレスポンスの鈍化や消費電力の増加の影響を極力抑えながら、一画面内に多くの情報を表示することができる携帯端末及び画面表示方法を提供することにある。
【課題を解決するための手段】
【０００８】
上記目的を達成するため、本発明は、表示データを記憶する記憶部と、前記表示データに基づく画面を表示する複数の表示部と、を少なくとも備える携帯端末において、前記複数の表示部は、独立してフレームレートが設定可能に構成され、異なる種類の画面を表示する場合は、互いに異なるフレームレートで前記記憶部から前記表示データを読み出して表示を行うものである。
【０００９】
また、本発明は、表示データを記憶する記憶部と、前記表示データに基づく画面を表示する複数の表示部と、を少なくとも備える携帯端末における画面表示方法であって、前記複数の表示部は、異なる種類の画面を表示する場合は、互いに異なるフレームレートで前記記憶部から前記表示データを読み出して表示を行うものである。
【発明の効果】
【００１０】
本発明によれば、複数の表示部を備えた携帯端末において、例えば、テレビ映像を流しながら同時にメール閲覧するような場合において、高速な描画更新の必要がない表示内容（この場合はメール側）に対しては表示更新のフレームレートを落とすことが可能なため、メモリへのアクセス頻度を低減し、ＣＰＵ処理能力やメモリ容量、バッテリ容量などが非常に限られたハードウェア資源での環境下で、キーレスポンスの劣化や消費電力の増加を抑制することができる。
【００１１】
また、同時に、動きの少ない表示内容を想定して、１つの連続した横長画面として表示可能であるため、大きな文字で折り返しなく表示するような快適なブラウジング環境を提供することもできる。
【発明を実施するための最良の形態】
【００１２】
背景技術で示したように、携帯端末に多くの情報を表示するために、ＬＣＤの画面サイズを大きくしたり、複数のＬＣＤを設ける手法が用いられている。しかしながら、ＣＰＵ処理能力やメモリ容量、バッテリ容量など非常に限られたハードウェア資源での動作が必要となる携帯端末では、画面表示に関わる処理量やメモリアクセス量が増えると、キーレスポンスが遅くなったり、消費電力が増えてバッテリでの連続使用可能時間が短くなるなど、ユーザにとって利便性が低下するという問題が生じる。
【００１３】
例えば、図２に示すような従来構成においては、ＬＣＤ２０６に表示可能な画素数が増えると、メモリ２０３上に設けるＶＲＡＭ（Video Random Access Memory）の容量（データ量）も増加し、従来通りのフレームレートを保とうとすると、ＬＣＤコントローラ２０４が単位時間あたりにメモリ２０３へアクセスする頻度が多くなる。
【００１４】
そして、ＬＣＤコントローラ２０４のメモリ２０３へのアクセス頻度が多くなると、消費電力が増加すると共に、メモリコントローラ２０２でアクセスが調停され、同じメモリ２０３を使って動作するＣＰＵ２０１にとってはアクセス速度劣化の影響があり、ＣＰＵ２０１によって処理されるソフトウェア動作が遅くなるため、キーレスポンス等の動作速度劣化の影響が出て来る。
【００１５】
また、特許文献１のように、複数のＬＣＤを設ける構成においても、複数のＬＣＤに対して従来通りのフレームレートを保とうとすると、同様の問題が生じる。
【００１６】
そこで、本発明では、ＬＣＤとＬＣＤドライバとＬＣＤコントローラとからなる表示部を複数備える携帯端末において、各々の表示部のフレームレートを独立して設定可能にし、相対的に動きが少ない画面を表示する表示部のフレームレートを、相対的に動きが多い画面を表示する表示部のフレームレートよりも小さい値に設定する。これにより、複数のＬＣＤに同時に表示する場合でも、消費電力の増加とレスポンスの劣化を抑えることができる。
【００１７】
また、各々の表示部のＬＣＤを近接して配置し、各々の表示部のフレームレートを同期させることにより、２つのＬＣＤを１つの画面として機能させることもでき、ユーザの利便性を向上させることもできる。
【実施例１】
【００１８】
上記した本発明の実施の形態についてさらに詳細に説明すべく、本発明の第１の実施例に係る携帯端末及び画面表示方法について、図１及び図３乃至図６を参照して説明する。図１は、本実施例の携帯端末の表示に関する部分の構成を示すブロック図である。また、図３及び図４は、本実施例の画面表示方法の一例を模式的に示す図であり、図５及び図６は、本実施例の画面表示方法の他の例を模式的に示す図である。
【００１９】
携帯電話機等の携帯端末は、一般に、無線信号の送受信や変調／復調などの処理を行うアンテナ及び無線通信部と、ＬＣＤや有機ＥＬ（Electro Luminescence）ディスプレイなどの表示装置とデバイスドライバとコントローラなどで構成される表示部（本実施例では表示装置をＬＣＤとする。）と、数字キーやファンクションキー、十字キーなどの複数のキーで構成される操作部と、ＲＯＭ（Read Only Memory）やＲＡＭ（Random Access Memory）などの記憶部と、音声の入出力などを行うスピーカ及びマイクと、ＣＰＵ（Central Processing Unit）などの制御部と、で構成される。
【００２０】
上記構成の携帯端末の内、表示に関する部分の構成は図１のようになり、ＣＰＵ１０１と、メモリコントローラ１０２と、メモリ１０３と、第１のＬＣＤコントローラ１０４と、第１のＬＣＤドライバ１０５と、第１のＬＣＤ１０６と、第２のＬＣＤコントローラ１０７と、第２のＬＣＤドライバ１０８と、第２のＬＣＤ１０９と、で構成される。すなわち、ＬＣＤコントローラ、ＬＣＤドライバ、ＬＣＤをそれぞれ２つずつ持ち、それぞれに対応するＶＲＡＭは同じメモリ上に持たせる構成としている。
【００２１】
尚、第１のＬＣＤ１０６と第２のＬＣＤ１０９の境界は極力目立たないようにし、連続した１つの表示画面のように見えるように構成することが好ましい。また、通常はＣＰＵ、ＬＣＤコントローラ、メモリコントローラは１チップのＬＳＩに内蔵され、ＬＣＤとＬＣＤドライバは併せてモジュール化されるため、図１においては破線で囲む表記としている。また、本実施例では、表示部にコントローラを含めているが、表示部をＬＣＤとＬＣＤドライバとで構成し、ＬＣＤコントローラを制御部に含める構成としてもよい。
【００２２】
ＣＰＵ１０１は、ワークメモリとしてメモリ１０３を使ってソフトウェア処理を実行し、携帯端末としての機能を実現する。また、ＣＰＵ１０１は、第１のＬＣＤ１０６及び第２のＬＣＤ１０９に表示する内容を判別し、相対的に動きの多い内容と相対的に動きが少ない内容とを、各々、メモリ１０３上のＶＲＡＭ１、２に書き込む。また、第１のＬＣＤ１０６及び第２のＬＣＤ１０９に表示する内容の更新がある場合、メモリ１０３上のＶＲＡＭ１またはＶＲＡＭ２の内容を書き換える。
【００２３】
第１のＬＣＤコントローラ１０４は、第１のＬＣＤ１０６に表示する内容（表示データ）を第１のフレームレートでメモリ１０３上のＶＲＡＭ１から読出し、その表示データを所定のタイミングで第１のＬＣＤドライバ１０５へ出力し、第１のＬＣＤドライバ１０５は受け取った表示データを第１のＬＣＤ１０６へ表示するための制御を行う。
【００２４】
第２のＬＣＤコントローラ１０７は、第２のＬＣＤ１０９に表示する内容（表示データ）を第１のフレームレートとは異なる（ここでは第１のフレームレートよりも小さい）第２のフレームレートでメモリ１０３上のＶＲＡＭ２から読出し、その表示データを所定のタイミングで第２のＬＣＤドライバ１０８へ出力し、第２のＬＣＤドライバ１０８は受け取った表示データを第２のＬＣＤ１０９へ表示するための制御を行う。
【００２５】
なお、ここでは、第１のＬＣＤ１０６に相対的に動きの多い内容を表示し、第２のＬＣＤ１０９に相対的に動きの少ない内容を表示する構成としているが、もちろん表示する内容を逆にしてもよい。また、第１のＬＣＤコントローラ１０４及び第２のＬＣＤコントローラ１０７の双方のフレームレートを設定する構成としているが、例えば、第１のＬＣＤコントローラ１０４のフレームレートは固定とし、第２のＬＣＤコントローラ１０７のフレームレートのみを設定する構成としてもよい。また、第１のフレームレートと第２のフレームレートとは異なる値であればよく、その具体的な数値は特に限定されない。
【００２６】
また、第１のＬＣＤコントローラ１０４及び第２のＬＣＤコントローラ１０７のフレームレートを設定する方法としては、例えば、ＣＰＵ１０１が、選択された機能に基づいて、第１のＬＣＤ１０６及び第２のＬＣＤ１０９に、どの機能に基づく画面を表示させるかを判断して、第１のＬＣＤコントローラ１０４及び第２のＬＣＤコントローラ１０７に制御信号を送出し、その制御信号に基づいてフレームレートを設定する方法などがある。
【００２７】
以下、図１の構成の携帯端末の動作について、図３乃至図６を参照して説明する。
【００２８】
先ず、図３に例を示すように、制御部（ＣＰＵ１０１）は、操作部によりどのような機能が選択されたかを判別し、その機能の種類に応じて、第１のＬＣＤ１０６と第２のＬＣＤ１０９に表示する内容を分ける。例えば、第１のＬＣＤ１０６には、相対的に動きの多いテレビ映像や動画、ゲームの表示を行い、第２のＬＣＤ１０９には、相対的に動きが少ないメールやブラウザ、静止画表示を行う。
【００２９】
この場合、第１のＬＣＤ１０６の方はちらつきを防止するために従来通りのフレームレートでの更新が必要であるため、第１のＬＣＤコントローラ１０４は第１のフレームレート（例えば６０ｆｐｓ）に設定する。一方、第２のＬＣＤ１０９は高いフレームレートでの更新が必要でないため、第２のＬＣＤコントローラ１０７はフレームレートを落として第２のフレームレート（例えば３０ｆｐｓ）に設定する。
【００３０】
また、メモリ１０３上に確保するＶＲＡＭは、図４に示すように、第１のＬＣＤ表示用のＶＲＡＭ１と第２のＬＣＤ表示用のＶＲＡＭ２を別々に設けるイメージとなり、ＶＲＡＭ１は第１のＬＣＤコントローラ１０４、ＶＲＡＭ２は第２のＬＣＤコントローラ１０７からそれぞれアクセスされる。
【００３１】
その際、ＶＲＡＭ１は第１のフレームレートで第１のＬＣＤコントローラ１０４からアクセスされるが、ＶＲＡＭ２は第１のフレームレートより小さい第２のフレームレートで第２のＬＣＤコントローラ１０７からアクセスされるため、メモリ１０３へのアクセス頻度を減らすことができ、これにより、消費電力を低減すると共に、ＣＰＵ１０１に対するアクセス速度劣化の影響を抑制することができる。
【００３２】
なお、上記動作は、異なる種類の表示内容を各々のＬＣＤに個別に表示する場合の動作であるが、１種類の表示内容を２つのＬＣＤに連続して表示することも可能である。例えば、図５は動きの少ないＷＷＷブラウザやドキュメントビューアの表示を横長で大きく表示する場合の例である。
【００３３】
この場合、メモリ１０３上に確保するＶＲＡＭは、図６に示すように、ＶＲＡＭ１とＶＲＡＭ２が一つの連続したイメージとなり、ラインの前半データは第１のＬＣＤコントローラ１０４から、後半データは第２のＬＣＤコントローラ１０７からそれぞれアクセスされるようにする。その際、第１のＬＣＤ１０６と第２のＬＣＤ１０９のフレームレートは、連続する一画面に見えるように同期させる。
【実施例２】
【００３４】
次に、本発明の第２の実施例に係る携帯端末及び画面表示方法について、図７及び図８を参照して説明する。図７は、本実施例の携帯端末の表示に関する部分の構成を示すブロック図であり、図８は、ＶＲＡＭ内における表示データの記憶状態を模式的に示す図である。
【００３５】
前記した第１の実施例では、第１のＬＣＤ１０６及び第２のＬＣＤ１０９に表示する表示データを、メモリのＶＲＡＭ１、２に記憶し、第１のＬＣＤコントローラ１０４及び第２のＬＣＤコントローラ１０７からアクセスする構成としたが、本実施例では、ＬＣＤコントローラからのメモリへのアクセス頻度を更に低減させる手法を提案する。
【００３６】
図７は、図１の構成に対し、第２のＬＣＤ表示用のＶＲＡＭをメモリ１０３上ではなく、第２のＬＣＤドライバ７０８に内蔵するように変更した例である。これにより、ＣＰＵ１０１や第２のＬＣＤコントローラ１０７からのメモリ１０３へのアクセス頻度を更に低減させることが可能となる。
【００３７】
なお、図７では、第２のＬＣＤドライバ７０８に第２のＬＣＤ１０９に表示する表示データを格納するＶＲＡＭ２を設ける構成としたが、第１のＬＣＤドライバ１０５に第１のＬＣＤ１０６に表示する表示データを格納するＶＲＡＭ１を設ける構成としてもよいし、双方のＬＣＤドライバに表示データを格納するＶＲＡＭを設ける構成としてもよい。
【００３８】
図８は、図４のＶＲＡＭの持たせ方に対し、第１のＬＣＤ表示用のＶＲＡＭ１のサイズを縮小している。これは、ＬＣＤドライバ側にリサイズ機能を持つものもあるため、例えばデレビ映像など元画サイズが小さいものを拡大して表示する場合、ＶＲＡＭとしては元画サイズ分を用意し、第１のＬＣＤドライバ１０５側のリサイズ機能を使って拡大表示させることを想定したものである。これにより、第１のＬＣＤ１０６のフレームレートは変更せずに、ＣＰＵ１０１や第１のＬＣＤコントローラ１０４からメモリ１０３へアクセスする頻度も低減させることができる。
【００３９】
なお、図８では、第１のＬＣＤドライバ１０５側にリサイズ機能を備える場合を示したが、第２のＬＣＤドライバ７０８側にリサイズ機能を備える構成としてもよいし、双方のＬＣＤドライバにリサイズ機能を備える構成としてもよい。
【００４０】
また、上記各実施例では、表示装置としてＬＣＤを用いたが、表示装置はＬＣＤに限定されない。
【００４１】
また、上記各実施例では、携帯端末に２つの表示装置を備える場合について記載したが、本発明は上記実施例に限定されるものではなく、３つ以上の表示装置を備える構成に対しても、同様に適用することができる。
【産業上の利用可能性】
【００４２】
本発明は、携帯電話機やＰＤＡ（Personal Digital Assistants）、ゲーム機などの携帯端末に利用可能である。
【図面の簡単な説明】
【００４３】
【図１】本発明の第１の実施例に係る携帯端末の表示に関する部分の構成を示すブロック図である。
【図２】従来の携帯端末の表示に関する部分の構成を示すブロック図である。
【図３】本発明の第１の実施例に係る携帯端末のＬＣＤに表示する表示内容の一例を示す図である。
【図４】本発明の第１の実施例に係る携帯端末のＶＲＡＭにおける表示データの記憶状態の一例を模式的に示す図である。
【図５】本発明の第１の実施例に係る携帯端末のＬＣＤに表示する表示内容の他の例を示す図である。
【図６】本発明の第１の実施例に係る携帯端末のＶＲＡＭにおける表示データの記憶状態の他の例を模式的に示す図である。
【図７】本発明の第２の実施例に係る携帯端末の構成を示すブロック図である。
【図８】本発明の第２の実施例に係る携帯端末のＶＲＡＭにおける表示データの記憶状態の一例を模式的に示す図である。
【符号の説明】
【００４４】
１０１  ＣＰＵ
１０２  メモリコントローラ
１０３  メモリ
１０４  第１のＬＣＤコントローラ
１０５  第１のＬＣＤドライバ
１０６  第１のＬＣＤ
１０７  第２のＬＣＤコントローラ
１０８、７０８  第２のＬＣＤドライバ
１０９  第２のＬＣＤ
２０１  ＣＰＵ
２０２  メモリコントローラ
２０３  メモリ
２０４  ＬＣＤコントローラ
２０５  ＬＣＤドライバ
２０６  ＬＣＤ
【図１】
2009198952.tif 000003
【図２】
2009198952.tif 000004
【図３】
2009198952.tif 000005
【図４】
2009198952.tif 000006
【図５】
2009198952.tif 000007
【図６】
2009198952.tif 000008
【図７】
2009198952.tif 000009
【図８】
2009198952.tif 000010